(57)【要約】      （修正有）【課題】脱穀済み穀稈（排藁）中に刺さり込んだ穀粒が、排藁と共に機外に排出されて脱穀のロスになるという課題。【解決手段】脱穀装置の脱穀室１２の上部に扱胴１１を設け、脱穀室１２の後方には搬送穀稈中に刺さり込んでいる刺さり粒を落下処理させる四番処理装置３６を設け、脱穀室１２の後側側部には脱穀室１２に排塵連通口により連通する排塵処理装置４０を設け、脱穀室１２の側部には二番物を還元処理する二番処理装置４５を設け、四番処理装置３６の近傍には該四番処理装置３６から排出される穀粒と前記排塵処理装置４０から排出される穀粒を回収して揺動選別棚２５の始端部に搬送する三番処理置５５を設ける。【選択図】図２
2008022748.tif 000002
【特許請求の範囲】
【請求項１】
上部に扱胴（１１）を軸装した脱穀室（１２）を設け、脱穀室（１２）の扱網（１８）の下方に、送風唐箕（１９）からの送風と揺動により穀粒とその他の処理物を風選する揺動選別棚（２５）により構成した揺動選別装置（２６）を設け、前記脱穀室（１２）の後方には搬送穀稈中に刺さり込んでいる刺さり粒を落下処理させる処理歯（３９）を設けた四番処理胴（３８）を軸装して構成する四番処理装置（３６）を設け、前記脱穀室（１２）の後側側部には、前記扱胴（１１）の軸心と略平行で外周に処理歯（４２）を有する排塵処理胴（４１）を軸装し、脱穀室（１２）と排塵連通口（４４）により連通する排塵処理装置（４０）を設け、前記脱穀室（１２）の側部には扱胴（１１）の軸心と略平行で外周に二番処理歯（４８）を有する二番処理胴（４７）を軸装し、揺動選別棚（２５）の下方の二番コンベア（３５）により回収された二番物を還元処理する二番処理装置（４５）を設け、前記四番処理装置（３６）の近傍には該四番処理装置（３６）から排出される穀粒と前記排塵処理装置（４０）から排出される穀粒を回収して、前記揺動選別棚（２５）の始端部に搬送する三番処理置（５５）を設けた脱穀装置。
【請求項２】
請求項１において、前記三番処理装置（５５）は、扱胴（１１）の軸芯と平行方向の受樋（５６）を設け、受樋（５６）内に処理歯（５８）を有する三番処理胴（５７）を設けて構成し、前記受樋（５６）には、前記四番処理装置（３６）の下方に設けた四番処理物受け板（５９）を接続した脱穀装置。
【請求項３】
請求項１または請求項２において、三番処理装置（５５）の三番処理胴（５７）は、背面視、扱胴（１１）の軸芯より下方に設け、該扱胴（１１）と共に反時計回転に回転させるように構成した脱穀装置。
【発明の詳細な説明】
【技術分野】
【０００１】
本発明は、脱穀装置に係るものである。
【背景技術】
【０００２】
従来、脱穀室の側部後方に排塵処理室を設け、脱穀室の側方に扱胴の軸心と平行で外周に処理歯を有する処理胴を有する二番処理室を設け、該二番処理室の後部は排塵処理室の下方に位置させた構成は、公知である（特許文献１）
【特許文献１】特開２００５−１１０６８９号公報
【発明の開示】
【発明が解決しようとする課題】
【０００３】
前記公知例は、二番コンベアで戻された二番物および排塵処理室から落下する穀粒を、二番処理装置の二番処理胴により揺動選別棚の始端部に戻して再処理する構成であるが、脱穀済み穀稈（排藁）中に刺さり込んだ穀粒は、そのまま、排藁と共に機外に排出されてしまうので、当業者が「四番物」と呼ぶ穀粒が機外に排出されて脱穀のロスになるという課題がある。
本願は、四番物のロスを減少させて、脱穀効率を向上させるようにしたものである。
【課題を解決するための手段】
【０００４】
本発明は、上部に扱胴１１を軸装した脱穀室１２を設け、脱穀室１２の扱網１８の下方に、送風唐箕１９からの送風と揺動により穀粒とその他の処理物を風選する揺動選別棚２５により構成した揺動選別装置２６を設け、前記脱穀室１２の後方には搬送穀稈中に刺さり込んでいる刺さり粒を落下処理させる処理歯３９を設けた四番処理胴３８を軸装して構成する四番処理装置３６を設け、前記脱穀室１２の後側側部には、前記扱胴１１の軸心と略平行で外周に処理歯４２を有する排塵処理胴４１を軸装し、脱穀室１２と排塵連通口４４により連通する排塵処理装置４０を設け、前記脱穀室１２の側部には扱胴１１の軸心と略平行で外周に二番処理歯４８を有する二番処理胴４７を軸装し、揺動選別棚２５の下方の二番コンベア３５により回収された二番物を還元処理する二番処理装置４５を設け、前記四番処理装置３６の近傍には該四番処理装置３６から排出される穀粒と前記排塵処理装置４０から排出される穀粒を回収して、前記揺動選別棚２５の始端部に搬送する三番処理置５５を設けた脱穀装置としたものであり、穀稈供給搬送装置１３により搬送された穀稈は脱穀室１２内に供給され、回転する扱胴１１により脱穀され、脱穀された脱穀物（被処理物）は扱網１８から下方の揺動選別棚２５に落下し、揺動選別棚２５の揺動と送風唐箕１９の送風により選別され、穀粒は一番コンベア３４から回収される。
また、穀稈供給搬送装置１３により搬送された搬送穀稈は、脱穀室１２で脱穀処理されると、脱穀室１２の後方に設けた四番処理装置３６では、回転する四番処理胴３８の処理歯３９により搬送穀稈中に刺さり込んでいる刺さり粒を落下処理し、種々の経路を経て一番コンベア３４に回収される。
また、脱穀室１２で脱穀された脱穀物のうち、扱網１８より落下しない脱穀物の一部は排塵連通口４４から排塵処理装置４０に入って処理される。
また、脱穀室１２で脱穀されて扱網１８から落下しない処理物は、排塵処理装置４０に入り、排塵処理装置４０内で回転する排塵処理胴４１の処理歯４２により攪拌処理される。
また、二番コンベアに回収された二番物は、二番処理装置４５に還元され、二番処理胴４７の二番処理歯４８により攪拌処理され、二番処理装置４５の二番処理物排出口５１から、揺動選別棚２５の始端部に落下して再処理される。
そして、四番処理装置３６と、排塵処理装置４０と、脱穀室１２と、二番処理装置４５のそれぞれから落下した穀粒は、三番処理装置５５の受樋５６に入り、三番処理胴５７により揺動選別棚２５の始端部に戻されて再処理される。
本発明は、前記三番処理装置５５は、扱胴１１の軸芯と平行方向の受樋５６を設け、受樋５６内に処理歯５８を有する三番処理胴５７を設けて構成し、前記受樋５６には、前記四番処理装置３６の下方に設けた四番処理物受け板５９を接続した脱穀装置としたものであり、三番処理装置５５の受樋５６には四番処理物受け板５９を設けているから、四番処理装置３６の下方から落下した四番処理物を四番処理物受け板５９が受け止めて、受樋５６に誘導して回収する。
本発明は、三番処理装置５５の三番処理胴５７は、背面視、扱胴１１の軸芯より下方に設け、該扱胴１１と共に反時計回転に回転させるように構成した脱穀装置としたものであり、三番処理装置５５の三番処理胴５７は、扱胴１１と共に反時計回転するので、四番処理装置３６から遠心力により飛散する穀粒の回収が円滑に行われる。
【発明の効果】
【０００５】
請求項１の発明では、四番処理装置３６と、排塵処理装置４０と、脱穀室１２と、二番処理装置４５のそれぞれから落下した穀粒を、三番処理装置５５により揺動選別棚２５の始端部に戻して再処理するので、三番物および四番物のロスを減少させて、脱穀効率を向上させることができる。
請求項２の発明では、四番処理装置３６から落下する四番処理物を四番処理物受け板５９が受け止めて、三番処理装置５５の受樋５６に誘導回収して、三番物および四番物のロスを減少させて、脱穀効率を向上させることができる。
請求項３の発明では、四番処理装置３６から遠心力により飛散する穀粒を、三番処理装置５５の受樋５６に円滑に誘導して回収でき、三番物および四番物のロスを減少させて、脱穀効率を向上させることができる
【発明を実施するための最良の形態】
【０００６】
本発明の一実施例をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取部、５は脱穀装置３の側部に設けたグレンタンク、６はグレンタンク５の前側に設けた操縦部、７は脱穀装置３の後側に設けたカッターである。
前記脱穀装置３は、上部に扱歯１０を有する扱胴１１を略水平に軸装した脱穀室１２を設け、脱穀室１２の一側には前記刈取部により刈り取った穀稈を供給搬送する穀稈供給搬送装置１３の供給搬送チエン１４を設けている（図３）。なお、理解を容易にするため、便宜的に方向を示して以下説明するが、これにより構成が限定されるものではない。
【０００７】
扱胴１１は脱穀装置３の前板１６と脱穀室後板１７に軸装し、扱胴１１の主として下方側は扱網１８により包囲している。扱網１８の下方には送風唐箕１９の唐箕ケーシング２０唐箕ケーシング２０を設ける。前記脱穀室１２の下方には前記送風唐箕１９の送風により穀粒と異物とを風選し得る風選室２１を形成し、風選室２１内には、送風唐箕１９の送風方向（前後方向）に往復揺動する揺動選別棚２５により構成した揺動選別装置２６を設ける。
揺動選別装置２６の構成は任意であるが、一例を示すと、前記揺動選別棚２５の始端部（前端部）を唐箕ケーシング２０の上方に位置させて上下二段に並設した移送棚部２７、２８に形成する。各移送棚部２７、２８の上面には突起や凹凸を設けて揺動選別装置２６の移送方向下手側に扱網１８からの落下物を移送できればよい。
【０００８】
上側移送棚部２７の移送方向下手側にはグレンシーブ３０を設ける。グレンシーブ３０は、扱網１８より落下した穀粒と異物とを選別するものであり、所定間隔をおいて揺動方向に複数並設する。グレンシーブ３０は、薄い平板形状に形成し、移送方向の下手側（後側）が高くなるように傾斜させて設ける。
下側移送棚部２８の始端部は上側移送棚部２７よりも前側に位置させ、下側移送棚部２８の移送方向下手側には選別網３１を設ける。選別網３１はグレンシーブ３０より落下した穀粒と異物とを選別するものである。
【０００９】
グレンシーブ３０の下方から移送方向の下手側（後側）のストローラック３２を設ける。  揺動選別棚２５の下方には一番コンベア３４を設け、一番コンベア３４の後側には二番コンベア３５を設ける。
しかして、扱胴１１の後方（終端側）には、四番処理装置３６を設ける。四番処理装置３６は、脱穀室後板１７の後方に仕切板３７を設け、脱穀室後板１７と仕切板３７との間に四番処理胴３８を軸装して構成する。四番処理装置３６は搬送中の搬送穀稈の枝梗粒および搬送穀稈中に刺さっている刺さり粒等を四番処理胴３８により落下処理するものである。実施例の四番処理装置３６は、脱穀室１２の後部に四番処理胴３８を一体状に形成し、四番処理胴３８の外周には処理歯３９を設ける。処理歯３９は、搬送穀稈中に刺さっている刺さり粒を落下させるのものであり、この点、穀稈から穀粒を分離する脱穀作用を奏する扱歯１０と区別される。四番処理装置３６は扱胴１１の終端の扱歯１０と四番処理胴３８の始端部の処理歯３９の間の外周を脱穀室後板１７により包囲し、脱穀室後板１７と仕切板３７との間に形成する。
【００１０】
前記脱穀室１２の後部および四番処理装置３６の側方には、排塵処理装置４０を設ける。排塵処理装置４０は、扱胴１１の軸心と略平行な排塵処理胴４１を軸装して構成する。排塵処理胴４１の外周には処理歯４２を設け、処理歯４２の主として下方側は処理網４３により包囲する。排塵処理装置４０は、脱穀室１２の後部に設けた排塵連通口４４により脱穀室１２と連通させている。
前記脱穀室１２の側方には、二番コンベア３５により回収された二番物を処理する二番処理装置４５を設ける。二番処理装置４５の始端部上方には二番還元装置４６の先端を開口させ、二番還元装置４６の基部は二番コンベア３５の終端に接続している。二番処理装置４５は排塵処理胴４１と同心状に二番処理胴４７を軸装し、二番処理胴４７の外周には二番処理歯を設け、二番処理胴４７の主として下方側は二番処理網４９により包囲する。二番処理歯４８は、穀稈供給搬送装置１３の搬送方向と反対に揺動選別棚２５の始端部（前端部）側に二番処理物を移送するように配置する。
【００１１】
二番処理胴４７の先端外周には二番処理胴４７の軸心と略平行な排出羽根５０を設け、排出羽根５０の略直下に二番処理物排出口を形成し、二番処理物排出口５１は下側移送棚部２８の始端部上方に開口させる。
【００１２】
しかして、脱穀装置３内には、四番処理装置３６から排出される穀粒と排塵処理装置４０から排出される穀粒を回収して、揺動選別棚２５の始端部に搬送する三番処理装置５５を設ける。三番処理装置５５は、四番処理装置３６および排塵処理装置４０から排出される穀粒を、揺動選別棚２５の中間部に直接落下させずに回収して、揺動選別棚２５の始端部まで搬送するので、選別ロスを低減させて、脱穀能力を向上させる。
即ち、揺動選別棚２５の中間部上面では、大量の藁屑が移動中であり、この状態の揺動選別棚２５の中間部に四番処理装置３６および排塵処理装置４０から排出された穀粒を落下させても、そのまま揺動選別棚２５により機外に排出されて選別ロスとなってしまうが、三番処理装置５５により回収して藁屑発生の少ない揺動選別棚２５の始端部に戻すので、一番コンベア３４により回収する回収効率を向上させる。
【００１３】
また、三番処理装置５５を設けることにより脱穀室１２の負荷も軽減させ、特に、早朝や高水分穀稈の脱穀の場合、負荷は大きく、三番処理装置５５はこの負荷の軽減に貢献する。
【００１４】
前記三番処理装置５５は、扱胴１１の軸芯と平行方向の受樋５６を設け、受樋５６内に三番処理胴５７を設けて構成し、受樋５６の外周には螺旋状の処理歯５８を設け、受樋５６内に回収された回収物を揺動選別棚２５の始端部に搬送中に三番処理胴５７の回転により枝梗粒や搬送穀稈中に刺さっている刺さり粒等の再処理も期待する。
前記受樋５６には、四番処理物受け板５９を設ける。四番処理物受け板５９は四番処理装置３６の下方から落下した四番処理物を受樋５６に回収するように設ける。
したがって、四番処理装置３６による処理で発生した穀粒を効率よく回収でき、また、脱穀室１２や揺動選別棚２５の負荷も軽減する。
【００１５】
しかして、三番処理装置５５の三番処理胴５７は、背面視、扱胴１１（四番処理胴３８）の軸芯より右側下方に設け、扱胴１１と共に反時計回転に回転させると（図５）、四番処理装置３６から遠心力により飛散する穀粒の回収（取り込み）が円滑に行われて、好適である。
【００１６】
図７は三番処理装置５５の他の実施例であり、扱胴１１は反時計回転方向に回転させ、三番処理胴５７は時計回転方向に回転させ、刺さり穀粒の回収効率を向上させている。
【００１７】
三番処理胴５７の先端外周には三番処理胴５７の軸心と略平行な排出羽根６０を設け、排出羽根６０の略直下に三番処理物排出口６１を形成し、三番処理物排出口６１は下側移送棚部２８の始端部上方に開口させる。
したがって、三番処理装置５５は、三番処理物排出口６１で排出羽根６０を時計回転方向に回転させ、移送棚部２８への穀粒の排出を拡散させ、揺動選別棚２５の選別性能を向上させる。
【００１８】
しかして、  図８，９は三番処理装置５５の実施例であり、三番処理装置５５を二番処理装置４５の二番処理物排出口５１の下方まで延長配置して、三番処理胴５７は背面視時計回転方向に回転させ、二番処理物排出口５１より落下した二番処理物を回収して揺動選別棚２５の始端部に排出羽根６０により拡散排出させる。
したがって、三番処理装置５５は、四番処理装置３６と排塵処理装置４０と二番処理装置４５からの穀粒の回収効率を向上させる。
【００１９】
しかして、  図１０は、四番処理装置３６と三番処理装置５５の他の実施例であり、四番処理装置３６の背面視左側略半分は網体６３により包囲し、四番処理装置３６の背面視右側略半分は四番処理物受け板５９により包囲する。四番処理装置３６の左側で比重の軽い藁屑を網体６３より下方の揺動選別棚２５に落下させ、四番処理装置３６で搬送穀稈より回収した刺さり粒は、四番処理物受け板５９を介して三番処理装置５５の受樋５６に回収する。
したがって、藁屑と穀粒の分離を良好にする。
この場合、網体６３の目合は扱網脱穀室１２の目合より大きく形成し、藁屑の落下を良好にすると、好適である。
【００２０】
しかして、図１１は、二番処理装置４５と三番処理装置５５の実施例であり、三番処理装置５５の前方に設けた排出羽根６０により排出する穀粒と、二番処理胴４７の前方に設けた二番処理物排出口５１から排出する穀粒とを、揺動選別棚２５の始端部に拡散排出させるように構成する。
したがって、二番処理装置４５と三番処理装置５５の両方から穀粒を揺動選別棚２５の左側方向に拡散排出するので、穀粒は揺動選別棚２５上に均等に分散させることができ、揺動選別棚２５の選別性能を向上させる。
【００２１】
しかして、穀稈供給搬送装置１３の供給搬送チエン１４の終端には、排藁搬送装置６５を設け、排藁搬送装置６５の下方には三番処理装置５５を設ける（図１２）。
したがって、三番処理装置５５は、四番処理装置３６と排塵処理装置４０と二番処理装置４５のみならず、排藁搬送装置６５により搬送中の排藁に付着している枝梗粒および搬送排藁中に刺さっている刺さり粒等を回収し、脱穀ロスを軽減させる。
【００２２】
前記排藁搬送装置６５の下方には排藁刺さり粒回収板６７を設け、刺さり粒回収板６７は三番処理装置５５の四番処理物受け板５９に接続する（図１２）。
したがって、排藁搬送装置６５により搬送中の排藁に付着している枝梗粒および搬送排藁中に刺さっている刺さり粒等は、搬送中に刺さり粒回収板６７上に落下し、刺さり粒回収板６７上に落下した穀粒は刺さり粒回収板６７により三番処理装置５５の受樋５６に誘導されて回収される。
図中、７０は脱穀室１２の側板、８０は吸引排塵ファン、８１はエンジン、８２はミッションである。
【００２３】
（実施例の作用）
走行装置２により走行し、刈り取り部４で刈り取った穀稈は穀稈供給搬送装置１３の供給搬送チエン１４により搬送されて、脱穀室１２に供給され、脱穀室１２の扱胴１１で脱穀される。脱穀された脱穀物は、扱網１８より揺動選別棚２５に落下し、揺動選別棚２５の揺動と送風唐箕１９からの送風により選別され、穀粒は揺動選別棚２５の選別網選別網３１から一番コンベア３４に回収され、一番コンベア３４により回収された穀粒はグレンタンク５に貯留される。
【００２４】
また、二番コンベア３５に回収された二番物は二番還元装置４６により二番処理装置４５に還元され、二番処理装置４５の二番処理胴４７により再処理されて揺動選別棚２５の始端部に拡散排出される。
また、穀稈供給搬送装置１３により搬送された搬送穀稈は、脱穀室１２で脱穀処理されると、脱穀室１２の後方に設けた四番処理装置３６で、回転する四番処理胴３８の処理歯３９により搬送穀稈中に刺さり込んでいる刺さり粒が落下処理され、種々の経路を経て揺動選別棚２５に回収される。
また、脱穀室１２で脱穀された脱穀物のうち、扱網１８より落下しない脱穀物の一部は排塵連通口４４から排塵処理装置４０に入って処理される。
また、揺動選別棚２５上の処理物は風選室２１で風選され、揺動選別棚２５より落下しない処理物のうち藁屑・塵埃は吸引排塵ファン８０により機外に吸引排出される。
【００２５】
この場合、一番コンベア３４に回収される穀粒を「一番物」、二番コンベア３５に回収される穀粒と他の被処理物を「二番物」、揺動選別棚２５上の被処理物と共に揺動選別棚２５の後部から機外に排出される被処理物（含む穀粒）を「三番物」、排藁搬送装置６５により搬送中の排藁に混入して機外に排出される穀粒、青米、その他のものを「四番物」と当業者は呼んでおり、本願では、三番処理装置５５を設けているので、従来であれば、排塵処理装置４０や二番処理装置４５から揺動選別棚２５に直接落下して排出されてしまう穀粒を三番処理装置５５により回収して、三番ロスを低減させる。
【００２６】
また、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【図面の簡単な説明】
【００２７】
【図１】コンバインの側面図。
【図２】脱穀装置の側面図。
【図３】同平面図。
【図４】同平面図（二番処理胴および排塵処理胴省略）。
【図５】同背面図。
【図６】同一部斜視図。
【図７】同背面図。
【図８】同側面図。
【図９】同背面図。
【図１０】同背面図。
【図１１】同側面図。
【図１２】同平面図。
【符号の説明】
【００２８】
１…機体フレーム、２…走行装置、３…脱穀装置、４…刈取部、５…グレンタンク、６…操縦部、７…カッター、１１…扱胴、１２…脱穀室、１３…穀稈供給搬送装置、１４…供給搬送チエン、１６…前板、１７…脱穀室後板、１８…扱網、１９…送風唐箕、２０…唐箕ケーシング、２１…風選室、２５…揺動選別棚、２６…揺動選別装置、２７…移送棚部、２８…移送棚部、３０…グレンシーブ、３１…選別網、３２…ストローラック、３４…一番コンベア、３５…二番コンベア、３６…四番処理装置、３７…仕切板、３８…四番処理胴、３９…処理歯、４０…排塵処理装置、４１…排塵処理胴、４２…処理歯、４３…処理網、４４…排塵連通口、４６…二番還元装置、４７…二番処理胴、４８…二番処理歯、４９…二番処理網、５０…排出羽根、５１…二番処理物排出口、５５…三番処理装置、５６…受樋、５７…三番処理胴、５８…処理歯、５９…四番処理物受け板、６０…排出羽根、６１…三番処理物排出口、６３…網体、６５…排藁搬送装置、６６…チエン、６７…刺さり粒回収板。
【図１】
2008022748.tif 000003
【図２】
2008022748.tif 000004
【図３】
2008022748.tif 000005
【図４】
2008022748.tif 000006
【図５】
2008022748.tif 000007
【図６】
2008022748.tif 000008
【図７】
2008022748.tif 000009
【図８】
2008022748.tif 000010
【図９】
2008022748.tif 000011
【図１０】
2008022748.tif 000012
【図１１】
2008022748.tif 000013
【図１２】
2008022748.tif 000014